(57)【要約】【課題】様々な設置孔型に符合する多用途設計で、しかも工具を必要とせず、迅速に分解/組立てが可能なスライドレールブラケットの掛柱構造を提供する。【解決手段】端板１１、掛柱３、及びガード部品４を有し、端板１１は固定台２及び対応する開孔１１１を設置し、固定台２は収納室２１を具え、掛柱３は収納室２１に設置され、開孔１１１と収納室２１に対応し伸縮活動が可能となり、しかも第一柱体３１と第二柱体３２とを具え、ガード部品４は別にブラケット１上に可動接続し、しかも係合端を具え端板に向かう。【選択図】図１
0003127644.tif 000002
【実用新案登録請求の範囲】
【請求項１】
端板、掛柱、及びガード部品を備え、
該端板は固定台及び対応する開孔を設置し、該固定台は収納室を有し、
該掛柱は該収納室に設置され、該開孔と該収納室とに対応し伸縮活動が可能となり、第一柱体と第二柱体とを有し、
該ガード部品は別にブラケット上に可動接続し、係合端を具え、該端板に向かうことを特徴とするスライドレールブラケットの構造。
【請求項２】
前記固定台の該収納室中にはバネを設置し、該バネは該掛柱に作用し、該掛柱の第一柱体にはフランジを設置することを特徴とする請求項１に記載のスライドレールブラケットの構造。
【請求項３】
前記掛柱の第一柱体には軸向孔を設置し、該第二柱体を可動嵌設し、しかも該軸向孔内部にはリングクリップを設置し、該第二柱体に嵌設し、該第二柱体内端は該固定台に接続し、該収納室中には第一バネと第二バネとを設置し、該第一バネは該第一柱体に作用し、該第一柱体にはフランジを設置し、該第二バネは該リングクリップに作用することを特徴とする請求項１に記載のスライドレールブラケットの構造。
【請求項４】
前記第二柱体は階段状部を具え、該リングクリップの内周囲縁に対応し、該軸向孔と該リングクリップとはそれぞれ設置する錐斜面に対応し、しかも該リングクリップには軸方向の断裂溝を設置することを特徴とする請求項３に記載のスライドレールブラケットの構造。
【請求項５】
前記ブラケット上は該ガード部品に対応し一対の可動孔を成型し、ピンを設置し穿接し、該ガード部品は弾性部品を具え、制限部品を設置し該ガード部品の定位角度を制限することを特徴とする請求項１に記載のスライドレールブラケットの構造。
【請求項６】
前記弾性部品は弾性片体であって、その両端片側には挟持部を具え、該ガード部品において挟持し、反対端は固定部で該ブラケットにおいて固定することを特徴とする請求項５に記載のスライドレールブラケットの構造。
【請求項７】
前記弾性部品はトルクバネであって、施力端を具え該ガード部品において固定し、また固定端を具え該ブラケットにおいて固定することを特徴とする請求項５に記載のスライドレールブラケットの構造。
【請求項８】
前記制限部品は該端板に設置することを特徴とする請求項５に記載のスライドレールブラケットの構造。
【請求項９】
端板、収納室、及び掛柱を備え、
該端板は固定台及び対応する開孔が設置され、該固定台は収納室を有し、
該収納室中にはバネが設置され、
該掛柱は第一柱体と第二柱体とを有し、該収納室に設置されて該バネを押さえ、該開孔と該収納室とに相対して伸縮可能であり、該第一柱体と該第二柱体とは該端板の開孔において貫通していることを特徴とするスライドレールブラケットの構造。
【請求項１０】
端板、収納室、及び掛柱を備え、
該端板は固定台及び対応する開孔が設置され、該固定台は収納室を有し、
該収納室中には第一バネと第二バネとが設置され、
該掛柱は第一柱体と第二柱体とを有し、該収納室に設置され、該第一柱体には軸向孔が設置され、該第二柱体が可動嵌設され、該軸向孔内部にはリングクリップが設置され、該第二柱体が嵌設され、該第二柱体内端は該固定台に接続され、該第一柱体は該第一バネにおいて固定され、該リングクリップは該第二バネにおいて固定されていることを特徴とするスライドレールブラケットの構造。
【考案の詳細な説明】
【技術分野】
【０００１】
本考案は一種のスライドレールブラケットの掛柱構造に関する。特に一種の伸縮可能な掛柱を有し、掛柱は方型或いは円型の第一柱体と第二柱体とを具え、多種のサポートフレームの方型或いは円型設置孔に自動的に対応することができ、しかも工具を必要とせずに設置挿入が可能なスライドレールブラケットの掛柱構造に係る。
【背景技術】
【０００２】
一般のスライドレールに結合するブラケットは、金属製サポートフレームに便利に嵌設可能で、ラックマウントコンピュータサーバシステム（RACK-MOUNTED COMPUTER SYSTEM）にしばしば運用される。
該ラックマウントケースのサポートフレームの設置孔規格は、米国特許第６，６５９，５７７Ｂ２号、第６，８９１，７２７Ｂ２号、台湾特許第Ｍ２８１５２０号、及び第Ｍ２８１５２５号などがあり、現在では方孔、円孔（或いは内ネジヤマを具えた円孔）等様々なものがあり、そのブラケットの設計も非常に多様であるため、単一規格にのみ符合し設置することができる。
現在のブラケット設計では様々な設置孔型に符合する多用途設計で、しかも工具を必要とせず、迅速に分解/組立てが可能な機能が求められている。
【考案の開示】
【考案が解決しようとする課題】
【０００３】
本考案は上記構造の問題点を解決したスライドレールブラケットの掛柱構造を提供するものである。
【課題を解決するための手段】
【０００４】
上記課題を解決するため、本考案は下記のスライドレールブラケットの掛柱構造を提供する。
それは主にスライドレールブラケットを提供し、サポートフレーム設置孔型の多用途設置問題を解決することができ、それは掛柱に第一柱体と第二柱体とを設置し、方型或いは円型設置孔に対して、共に工具不要で設置でき、自動挿入可能な多用途性を達成することができる。すなわちそれは、端板、掛柱、及びガード部品を有し、該端板は固定台及び対応する開孔を設置し、該固定台は収納室を具え、該掛柱は該収納室に設置され、該開孔と該収納室に対応し伸縮活動が可能となり、しかも第一柱体と第二柱体とを具え、該ガード部品は別にブラケット上に可動接続し、しかも係合端を具え該端板に向かう。
【０００５】
該固定台の該収納室中にはバネを設置し、該バネは該掛柱に作用し、該掛柱の第一柱体にはフランジを設置してもよい。
該掛柱の第一柱体には軸向孔を設置し、該第二柱体を可動嵌設し、しかも該軸向孔内部にはリングクリップを設置し、該第二柱体に嵌設し、該第二柱体内端は該固定台に接続し、該収納室中には第一バネと第二バネとを設置し、該第一バネは該第一柱体に作用し、該第二バネは該リングクリップに作用してもよい。
【０００６】
該第二柱体は階段状部を具え、該リングクリップの内周囲縁に対応し、該軸向孔と該リングクリップはそれぞれ設置する錐斜面に対応し、しかも該リングクリップには軸方向の断裂溝を設置してもよい。
該ブラケット上は該ガード部品に対応し一対の可動孔を成型し、ピンを設置し穿接してもよい。
該ガード部品に作用する弾性部品は弾性片体で、その両端片側には挟持部を具え該ガード部品において挟持し、反対端は固定部で該ブラケットにおいて固定してもよい。
或いは該弾性部品はトルクバネで、施力端を具え該ガード部品において固定し、また固定端を具え該ブラケットにおいて固定してもよい。
【０００７】
また、本考案のスライドレールブラケットの掛柱構造は、端板及び掛柱を有し、該端板は固定台及び対応する開孔を設置し、該固定台は収納室を具え、該収納室中にはバネを設置し、該掛柱は第一柱体と第二柱体とを具え、しかも該収納室に設置し該バネを押さえ、これにより該開孔と該収納室とに相対し伸縮活動し、該第一柱体と該第二柱体とは該端板の開孔において貫通する。
【０００８】
さらに、本考案のスライドレールブラケットの掛柱構造は、端板及び掛柱を有し、該端板は固定台及び対応する開孔を設置し、該固定台は収納室を具え、該収納室中には第一バネと第二バネとを設置し、該掛柱は第一柱体と第二柱体とを具え、しかも該収納室に設置し、該第一柱体には軸向孔を設置し、該第二柱体を可動嵌設し、しかも該軸向孔内部にはリングクリップを設置し、該第二柱体に嵌設し、該第二柱体内端は該固定台に接続し、該第一柱体は該第一バネにおいて固定し、該リングクリップは該第二バネにおいて固定する。加えてそれは第一柱体の形態と第二柱体との形態は異なり、さらに第一柱体の形態は方柱、第二柱体の形態は円柱であるが、第一柱体の形態は円柱としてもよい。
【０００９】
（考案の効果）
上記のように、本考案は分解/組立てが容易で迅速に行うことができ、方型設置孔を具えるサポートフレームと円型設置孔を具えるサポートフレームとに適用可能で、掛柱構造はコンパクトで、しかも多用途性能を具える。
【考案を実施するための最良の形態】
【００１０】
図１及び図２に示すように、本考案の第１実施例によるスライドレールブラケットはブラケット１、固定台２、掛柱３、ガード部品４、バネ５、及び弾性部品６を備える。
該ブラケット１には端板１１を設置し、該端板１１には開孔１１１を設置する。該開孔１１１はブラケット１の設置の必要に応じて一個或いは一個以上を設置する。本実施例に示すように、該ブラケット１には２個の開孔１１１を設置し、該ブラケット１上には軸孔１２１を具えた一対の可動孔１２を成型し、該可動孔１２を貫通可能なピン１３を設置する。別に、該端板１１の背面には制限部品１４を設置し、該可動孔１２に近い位置には阻害片１５を設置する。
【００１１】
該固定台２は該ブラケット１の端板１１正面に連接し、該固定台２は収納室２１を具え、図１に示すように、該収納室２１は前記開孔１１１に対応し２ヶ所設置する。
該掛柱３は相互に接続する第一柱体３１と第二柱体３２とを具え、該第一柱体３１の形態は方柱（円柱でも可。図示なし）で、該第二柱体３２の形態は円柱である。しかも該掛柱３の第一柱体３１は前記ブラケット１の開孔１１１を貫通し、該固定台２の収納室２１に進入する。これにより該掛柱３は伸縮活動が可能となり、該収納室２１中にはバネ５を設置する。該バネ５は該掛柱３の第一柱体３１に作用し、該掛柱３の伸縮活動は自動的に回復する。該第一柱体３１にはフランジ３１１を設置し、これにより該ブラケット１の開孔１１１において定位する。
【００１２】
該ガード部品４は前記ブラケット１の可動孔１２に可動接続し、該ガード部品４は係合端４１を具え、該ブラケット１の端板１１背面に向かい、しかも該ガード部品４位置には弾性部品６を設置する。該弾性部品６は弾性片体で、その両端の片側は挟持部６１を具え該ガード部品４において挟持し、反対端は固定部６２で該ブラケット１上の阻害片１５において固定し、該ガード部品４に復位弾力を提供する。
別に、該ガード部品４が復位弾力を具えた実施方式は前記に限定されるものではなく、図３に示すように、該弾性部品６ａはトルクバネとすることができる。該トルクバネは施力端６１ａを具え該ガード部品４において固定し、さらに固定端６２ａを具え該ブラケット１上の阻害片１５において固定する。
【００１３】
上記設計により、図４に示すように、方型設置孔９１のサポートフレーム９に対応する時、該ブラケット１を該掛柱３の第一柱体３１により該サポートフレーム９の方型設置孔９１に挿入可能で、該ガード部品４の係合端４１により該サポートフレーム９において固定することができる。また該ガード部品４と該ブラケット１の端板１１とにより該サポートフレーム９を挟持し、固定効果を形成することができる。
円型設置孔９１’のサポートフレーム９’に対応する時には、図５及び図６に示すように、該ブラケット１を該掛柱３の第二柱体３２により該サポートフレーム９’の円型設置孔９１’に挿入し、しかも該掛柱３の第一柱体３１は該固定台２の収納室２１に自動的に縮入し、該縮入した第一柱体３１は該収納室２１中のバネ５を圧縮することができる。
【００１４】
別に、第１実施例に示す技術手段と同等の効果の本考案の第２実施例では、図７及び図８に示すように、該掛柱３ａの第一柱体３１ａと第二柱体３２ａとを可動嵌設可能な部品とすることができる。該第一柱体３１ａは軸向孔３１２ａを有し、該第二柱体３２ａに可動嵌設し、該第二柱体３２ａはその柱体を延伸し内端は固定台２ａに接続する。しかも該第一柱体３１ａの軸向孔３１２ａ内部にはリングクリップ３３ａを設置し、該第二柱体３２ａに嵌設し、該固定台２ａの収納室２１ａ中には第一バネ５１ａと第二バネ５２ａとを設置する。該第一バネ５１ａは該第一柱体３１ａにおいて作用し、該第一柱体３１ａにはフランジ３１１ａを設置することにより該ブラケット１の開孔１１１において定位する。該第二バネ５２ａは該リングクリップ３３ａにおいて作用する。
さらに該第二柱体３２ａは階段状部３２１ａを具え、該リングクリップ３３ａの内周囲縁に対応し固定する。しかも該軸向孔３１２ａと該リングクリップ３３ａとはそれぞれ設置する錐斜面３１３ａ、３３１ａに対応し、該リングクリップ３３ａの周囲には軸方向の断裂溝３３２ａを設置する。
【００１５】
第２実施例によるスライドレールブラケットの掛柱構造を方型設置孔９１のサポートフレーム９に対応し設置する時には、図９に示すように、該ブラケット１は該掛柱３ａの第一柱体３１ａにより該サポートフレーム９の方型設置孔９１に挿入され、該ガード部品４により該サポートフレーム９において固定される。該第一柱体３１ａが簡単に自動内縮し、該サポートフレーム９の方型設置孔９１により容易に挿入可能となるため、該第一柱体３１ａが単独で押される時には、図１０に示すように、該第一柱体３１ａの錐斜面３１３ａは該リングクリップ３３ａの錐斜面３３１ａを圧迫固定する。しかも該リングクリップ３３ａは該第二バネ５２ａに押さえつけられるため、該リングクリップ３３ａの断裂溝３３２ａを具える末端は該第一柱体３１ａの錐斜面３１３ａにより圧迫され内縮する。該内縮するリングクリップ３３ａは該第二柱体３２ａの階段状部３２１ａにおいて固定され、該第一柱体３１ａを限定する。
【００１６】
円型設置孔９１’のサポートフレーム９’に対応する時には、図１１に示すように、該ブラケット１は先ず該掛柱３ａの第二柱体３２ａ前段により該サポートフレーム９’の円型設置孔９１’に挿入される。続けて該掛柱３ａを該サポートフレーム９’に向けて押す時には、図１２に示すように、該リングクリップ３３ａは先ず押され内縮し、該断裂溝３３２ａを具えた末端は該第二柱体３２ａの階段状部３２１ａを貫通する。さらに該掛柱３ａを押し入れると、図１３に示すように、該掛柱３ａの第一柱体３１ａも該サポートフレーム９’により押し上げられ内縮する。こうして該第二柱体３２ａはさらに該サポートフレーム９’の円型設置孔に挿入され、しかも該ガード部品４は該サポートフレーム９’において固定する。
【図面の簡単な説明】
【００１７】
【図１】本考案の第１実施例によるスライドレールブラケットの掛柱構造を示す分解斜視図である。
【図２】本考案の第１実施例によるスライドレールブラケットの掛柱構造を示す斜視図である。
【図３】本考案の第１実施例によるスライドレールブラケットの掛柱構造の弾性部品にトルクバネ型態を採用した状態を示す斜視図である。
【図４】本考案の第１実施例によるスライドレールブラケットの掛柱構造が方形設置孔のサポートフレームに対応する状態を示す斜視図である。
【図５】本考案の第１実施例によるスライドレールブラケットの掛柱構造が円型設置孔のサポートフレームに対応する状態を示す断面図である。
【図６】本考案の第１実施例によるスライドレールブラケットの掛柱構造が円型設置孔のサポートフレームに対応する状態を示す斜視図である。
【図７】本考案の第２実施例によるスライドレールブラケットの掛柱構造を示す分解斜視図である。
【図８】本考案の第２実施例によるスライドレールブラケットの掛柱構造を示す斜視図である。
【図９】本考案の第２実施例によるスライドレールブラケットの掛柱構造が方型設置孔のサポートフレームに対応する状態を示す斜視図である。
【図１０】本考案の第２実施例によるスライドレールブラケットの掛柱構造が方型設置孔のサポートフレームに対応する状態を示す断面図である。
【図１１】本考案第２実施例によるスライドレールブラケットの掛柱構造が円型設置孔のサポートフレームに対応する状態を示す断面図である。
【図１２】本考案第２実施例によるスライドレールブラケットの掛柱構造が円型設置孔のサポートフレームに対応する状態を示す断面図である。
【図１３】本考案第２実施例によるスライドレールブラケットの掛柱構造が円型設置孔のサポートフレームに対応する状態を示す断面図である。
【符号の説明】
【００１８】
１  ブラケット、１１  端板、１１１  開孔、１２  可動孔、１２１  軸孔、１３  ピン、１４  制限部品、１５  阻害片、２  固定台、２１  収納室、３  掛柱、３１  第一柱体、３２  第二柱体、４  ガード部品、５  バネ、６  弾性部品、４１  係合端、６１  挟持部、６２  固定部、６ａ  弾性部品、６１ａ  施力端、６２ａ  固定端、９  サポートフレーム、９１  設置孔、９’  サポートフレーム、９１’  円型設置孔、３ａ  掛柱、３１ａ  第一柱体、３１１ａ  フランジ、３１２ａ  軸向孔、３１３ａ  錐斜面、３２ａ  第二柱体、３２１ａ  階段状部、３３ａ  リングクリップ、３３１ａ  錐斜面、３３２ａ  断裂溝、２ａ  固定台、５１ａ  第一バネ、５２ａ  第二バネ
【図１】
0003127644.tif 000003
【図２】
0003127644.tif 000004
【図３】
0003127644.tif 000005
【図４】
0003127644.tif 000006
【図５】
0003127644.tif 000007
【図６】
0003127644.tif 000008
【図７】
0003127644.tif 000009
【図８】
0003127644.tif 000010
【図９】
0003127644.tif 000011
【図１０】
0003127644.tif 000012
【図１１】
0003127644.tif 000013
【図１２】
0003127644.tif 000014
【図１３】
0003127644.tif 000015